【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  コンテンツの内容情報を保持する本体データを作成する本体データ作成手段と、
前記本体データに対する改訂を指示する改訂データであって、前記本体データに対する改訂項目と、前記改訂データの改訂版数を示す改訂バージョン情報とを保持する改訂データを作成する改訂データ作成手段とを備える、コンテンツ作成装置。
【請求項２】  前記作成される本体データは、前記本体データの改訂版数を示す本体バージョン情報をさらに保持し、
前記作成される改訂データは、前記改訂の対象となる前記本体データの本体バージョンをさらに保持する、請求項１に記載のコンテンツ作成装置。
【請求項３】  前記作成されるコンテンツに含まれる前記本体データと前記改訂データとのうち、少なくとも前記改訂データが、前記改訂の対象となる前記本体データを識別する識別情報を保持する、請求項１に記載のコンテンツ作成装置。
【請求項４】  前記識別情報を、前記本体データから一意に決定する、請求項３に記載のコンテンツ作成装置。
【請求項５】  前記本体データの各構成要素ごとに、前記改訂データでの改訂の有無を示す改訂フラグを作成する改訂フラグ作成手段をさらに備える、請求項１に記載のコンテンツ作成装置。
【請求項６】  前記改訂フラグ作成手段は、前記本体データの各構成要素から得られるハッシュ値に基づいて、前記改訂の有無を示す改訂フラグを作成する、請求項５に記載のコンテンツ作成装置。
【請求項７】  前記改訂データ作成手段は、第１の改訂データが示す改訂範囲と重なる範囲に対して修正を行なう場合に、前記修正の範囲に前記修正の範囲に重なる前記第１の改訂データが示す改訂範囲を付加した範囲を第２の訂正範囲として示す第２の訂正データを作成する、請求項１に記載のコンテンツ作成装置。
【請求項８】  コンテンツの内容情報を保持する本体データと、前記本体データに対する改訂を指示する改訂データとを含むコンテンツを取得する取得手段と、
前記取得した前記本体データに含まれる前記本体データの改訂版数を示す本体バージョン情報と、前記取得した前記改訂データに含まれる前記改訂データの改訂版数を示す改訂バージョン情報とに基づいて、前記取得したコンテンツに含まれる前記本体データおよび前記改訂データの中から、前記改訂版数の最も大きい本体データと前記本体データを前記改訂対象とする前記改訂版数の最も大きい改訂データとの組合せを選択する選択手段とを備える、コンテンツ閲覧装置。
【請求項９】  コンテンツの内容情報を保持する本体データと、前記本体データに対する改訂を指示する改訂データとを含むコンテンツを取得する取得手段と、
前記コンテンツから本体データと、前記本体データを前記改訂対象とする改訂データとの組合せを選択する選択手段と、
前記選択した前記本体データと前記改訂データとの組合せと共に、前記本体データに含まれる前記本体データの改訂版数を示す本体バージョン情報と、前記取得した前記改訂データに含まれる前記改訂データの改訂版数を示す改訂バージョン情報とを選択可能に提示する提示手段とを備える、コンテンツ閲覧装置。
【請求項１０】  コンテンツの内容情報を保持する本体データと、前記本体データに対する改訂を指示する改訂データとを含むコンテンツを取得する取得手段と、
前記取得手段で取得した第１の改訂データでの改訂を行なった前記本体データに、前記取得手段で取得した第２の改訂データでの改訂部分を付加し、前記第２の改訂データでの改訂部分を前記第１の改訂データでの改訂部分とは異なる出力方法にて出力する出力手段とを備える、コンテンツ閲覧装置。
【請求項１１】  コンテンツの内容情報を保持する本体データと、前記本体データに対する改訂を指示する改訂データとを含むコンテンツを取得する取得手段を備え、
前記取得手段で取得するコンテンツは、前記本体データの各構成要素ごとに、前記改訂データでの改訂の有無を示す改訂フラグをさらに含み、
前記本体データのうち前記改訂フラグに改訂が示される構成要素について前記改訂データでの改訂を行なって前記本体データを出力する出力手段をさらに備える、コンテンツ閲覧装置。
【請求項１２】  コンテンツの内容情報を保持する本体データと、前記本体データに対する改訂を指示する改訂データとを含むコンテンツを取得する取得手段と、
前記取得手段で取得した前記改訂データに含まれる前記改訂データの改訂版数を示す改訂バージョン情報に基づいて、前記コンテンツに含まれる前記改訂データの中から前記改訂版数の最も大きい改訂データを選択する選択手段とを備える、コンテンツ閲覧装置。
【請求項１３】  コンテンツの内容情報を保持する本体データを作成する本体データ作成手段と、
前記本体データに対する改訂を指示する改訂データであって、前記本体データに対する改訂項目と、前記改訂データの改訂版数を示す改訂バージョン情報とを保持する改訂データを作成する改訂データ作成手段とを備えるコンテンツ作成装置と、
前記コンテンツ作成装置で作成された前記本体データと前記改訂データとを含む前記コンテンツを取得する取得手段と、
前記取得した前記本体データに保持される前記本体バージョン情報と、前記取得した前記改訂データに保持される前記改訂バージョン情報とに基づいて、前記取得したコンテンツに含まれる前記本体データおよび前記改訂データの中から、前記改訂版数の最も大きい本体データと前記本体データを前記改訂対象とする前記改訂版数の最も大きい改訂データとの組合せを選択する選択手段とを備えるコンテンツ閲覧装置とを含む、コンテンツ閲覧システム。
【請求項１４】  コンピュータにコンテンツの作成処理を実行させるプログラムであって、
前記コンテンツの内容情報を保持する本体データを作成する本体データ作成ステップと、
前記本体データに対する改訂を指示する改訂データであって、前記本体データに対する改訂項目と、前記改訂データの改訂版数を示す改訂バージョン情報とを保持する改訂データを作成する改訂データ作成ステップとを実行させる、コンテンツ作成プログラム。
【請求項１５】  コンピュータにコンテンツの出力処理を実行させるプログラムであって、
前記コンテンツの内容情報を保持する本体データと、前記本体データに対する改訂を指示する改訂データとを含む前記コンテンツを取得する取得ステップと、
前記取得した前記改訂データに含まれる前記改訂データの改訂版数を示す改訂バージョン情報に基づいて、前記取得したコンテンツに含まれる前記改訂データの中から前記改訂版数の最も大きい改訂データを選択する選択ステップとを実行させる、コンテンツ出力プログラム。
【請求項１６】  コンピュータにコンテンツの出力処理を実行させるプログラムであって、
前記コンテンツの内容情報を保持する本体データと、前記本体データに対する改訂を指示する改訂データとを含む前記コンテンツを取得する取得ステップと、
前記コンテンツから本体データと、前記本体データを前記改訂対象とする改訂データとの組合せを選択する選択ステップと、
前記選択した前記本体データと前記改訂データとの組合せと共に、前記本体データに含まれる前記本体データの改訂版数を示す本体バージョン情報と、前記取得した前記改訂データに含まれる前記改訂データの改訂版数を示す改訂バージョン情報とを選択可能に提示する提示ステップとを実行させる、コンテンツ出力プログラム。
【請求項１７】  請求項１４に記載のコンテンツ作成プログラムを記録した、コンピュータ読取可能な記録媒体。
【請求項１８】  請求項１５または１６に記載のコンテンツ出力プログラムを記録した、コンピュータ読取可能な記録媒体。
【手続補正２】
【補正対象書類名】明細書
【補正対象項目名】００２２
【補正方法】変更
【補正の内容】
【００２２】
本発明のさらに他の局面に従うと、コンテンツ閲覧装置は、コンテンツの内容情報を保持する本体データと、本体データに対する改訂を指示する改訂データとを含むコンテンツを取得する取得手段と、上記取得手段で取得した第１の改訂データでの改訂を行なった本体データに、上記取得手段で取得した第２の改訂データでの改訂部分を付加し、第２の改訂データでの改訂部分を第１の改訂データでの改訂部分とは異なる出力方法にて出力する出力手段とを備える。
【手続補正３】
【補正対象書類名】明細書
【補正対象項目名】００２３
【補正方法】変更
【補正の内容】
【００２３】
本発明のさらに他の局面に従うと、コンテンツ閲覧装置は、コンテンツの内容情報を保持する本体データと、本体データに対する改訂を指示する改訂データとを含むコンテンツを取得する取得手段を備え、上述の取得手段で取得するコンテンツは、本体データの各構成要素ごとに、改訂データでの改訂の有無を示す改訂フラグをさらに含み、コンテンツ閲覧装置は、本体データのうち改訂フラグに改訂が示される構成要素について改訂データでの改訂を行なって本体データを出力する出力手段をさらに備える。
本発明のさらに他の局面に従うと、コンテンツ閲覧装置は、コンテンツの内容情報を保持する本体データと、本体データに対する改訂を指示する改訂データとを含むコンテンツを取得する取得手段と、上記取得手段で取得した改訂データに含まれる改訂データの改訂版数を示す改訂バージョン情報に基づいて、取得されたコンテンツに含まれる改訂データの中から改訂版数の最も大きい改訂データを選択する選択手段とを備える。
【手続補正４】
【補正対象書類名】明細書
【補正対象項目名】００２６
【補正方法】変更
【補正の内容】
【００２６】
本発明のさらに他の局面に従うと、コンテンツ出力プログラムは、コンピュータにコンテンツの出力処理を実行させるプログラムであって、コンテンツの内容情報を保持する本体データと、本体データに対する改訂を指示する改訂データとを含むコンテンツを取得する取得ステップと、取得した改訂データに含まれる改訂データの改訂版数を示す改訂バージョン情報に基づいて、取得したコンテンツに含まれる改訂データの中から改訂版数の最も大きい改訂データを選択する選択ステップとを実行させる。